(57)【要約】【課題】医用情報記憶媒体に含まれているインデックス情報の取得が短時間で行える医用画像表示装置を提供する。【解決手段】過去に接続された医用情報記憶媒体００１の識別情報及びインデックス情報を記憶している記憶部１０５と、現在接続されている医用情報記憶媒体００１からその識別情報を取得し、取得した識別情報と記憶している識別情報とを比較する識別情報比較部１０１と、識別情報が一致しない場合、医用情報記憶媒体００１の識別情報及びインデックス情報を記憶部１０５に記憶させる書込部１０３と、識別情報が一致する場合、医用情報記憶媒体００１に記憶されている特定情報と記憶している特定情報とを比較する特定情報比較部１０２と、特定情報が異なる場合、インデックス情報を更新する更新部１０４と、医用情報記憶媒体００１に記憶されているインデックス情報を一覧表示させる表示制御部１０６とを備える。【選択図】図１
2010277537.tif 000002
【特許請求の範囲】
【請求項１】
過去に接続された外部記憶媒体の識別情報、並びにその外部記憶媒体に記憶されている少なくとも患者及び検査の識別情報を含むインデックス情報を対応させて記憶している記憶手段と、
現在接続されている前記外部記憶媒体から該外部記憶媒体の識別情報を取得し、取得した該外部記憶媒体の識別情報と、前記記憶手段が記憶している前記外部記憶媒体の識別情報とを比較する識別情報比較手段と、
前記識別情報が一致しない場合、前記現在接続されている前記外部記憶媒体の識別情報及び前記現在接続されている前記外部記憶媒体に記憶されているインデックス情報を前記記憶手段に記憶させる書込手段と、
前記識別情報が一致する場合に、前記記憶手段を参照し、前記現在接続されている前記外部記憶媒体に記憶されている前記インデックス情報の特定情報と、前記現在接続されている前記外部記憶媒体の前記識別情報と一致した過去に接続された前記外部記憶媒体の前記インデックス情報の特定情報とを比較する特定情報比較手段と、
前記特定情報が異なる場合、前記記憶手段に記憶されている前記外部記憶媒体のインデックス情報を、前記現在接続されている外部記憶媒体に記憶されている前記インデックス情報へと更新させる更新手段と、
前記記憶手段を参照し、前記現在接続されている前記外部記憶媒体に記憶されている前記インデックス情報を表示手段に一覧表示させる表示制御手段と、
を備えることを特徴とする医用画像表示装置。
【請求項２】
前記インデックス情報の特定情報として、前記インデックス情報の作成日時及びファイルサイズを含み、
前記特定情報比較手段は、それぞれの前記インデックス情報の作成日時及びサイズを比較し、前記作成日時及びサイズが一致するか否かを判断する、
ことを特徴とする請求項１に記載の医用画像表示装置。
【請求項３】
前記インデックス情報の特定情報として、前記インデックス情報にハッシュ関数を用いて生成するハッシュを含み、
前記特定情報比較手段は、それぞれの前記インデックス情報のハッシュを比較し、前記ハッシュが一致するか否かを判断する、
ことを特徴とする請求項１に記載の医用画像表示装置。
【請求項４】
前記インデックス情報の特定情報として、前記インデックス情報の作成日時、ファイルサイズ、及び前記インデックス情報にハッシュ関数を用いて生成するハッシュを含み、
前記特定情報比較手段は、それぞれの前記インデックス情報の作成日時及びサイズを比較し、前記作成日時及びサイズが一致するか否かの判断、又はそれぞれの前記インデックス情報にハッシュ関数を用いて生成したハッシュを比較し、前記ハッシュが一致するか否かの判断、のいずれか一つを操作者の入力を受けて選択的に行うことを特徴とする請求項１に記載の医用画像表示装置。
【請求項５】
医用画像の表示を行うコンピュータに対し、
過去に接続された外部記憶媒体の識別情報及びその外部記憶媒体に記憶されている少なくとも患者及び検査の識別情報を含むインデックス情報を対応させて記憶させ、
接続された前記外部記憶媒体からその外部記憶媒体の識別情報の取得を実行させ、
現在接続されている前記外部記憶媒体の識別情報と、前記記憶している前記識別情報との比較を実行させ、
前記識別情報が一致しない場合、前記現在接続されている前記外部記憶媒体の識別情報及び現在接続されている前記外部記憶媒体が記憶しているインデックス情報の記憶を実行させ、
前記識別情報が一致する場合、前記現在接続されている前記外部記憶媒体に記憶されている前記インデックス情報の特定情報と前記記憶されている前記現在接続されている前記外部記憶媒体の識別情報に対応するインデックス情報の特定情報との比較を実行させ、
前記特定情報が異なる場合、前記記憶手段に記憶されている前記外部記憶媒体のインデックス情報の、前記現在接続されている外部記憶媒体に記憶されている前記インデックス情報への更新を実行させ、
前記記憶されている前記現在接続されている外部記憶媒体の識別情報に対応するインデックス情報の表示部への一覧表示を実行させる、
ことを特徴とする医用画像表示装置制御プログラム。
【発明の詳細な説明】
【技術分野】
【０００１】
本発明は、外部の医用情報記憶媒体に記憶されている情報を読み取り処理を行う医用画像表示装置及び医用画像表示装置制御プログラムに関する。
【背景技術】
【０００２】
近年における情報技術の発展に伴い、医療分野においてもデータ管理のデジタル化が進行している。特に医用画像分野においては、ＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）と呼ばれる規格を使用して医用情報装置で医用画像の画像データやその付帯情報を取り扱うように技術の標準化が進んでいる。
【０００３】
ＤＩＣＯＭ規格は、医療におけるデジタル画像と通信に関する標準規格であり、本規格に基づいて画像フォーマットや通信プロトコルを設定することにより、Ｘ線ＣＴ装置やＭＲＩ装置などのような異なる種類のモダリティ装置により収集された医用画像や、メーカの異なるモダリティ装置で収集された医用画像装置を始めとして、これら医用画像を含む医用情報が共通の資産として活用できるようになった。
【０００４】
そして、医用画像表示装置などの医用情報装置において使用される医用情報記憶媒体においてもＤＩＣＯＭ規格への準拠がなされている。この医用情報記憶媒体には医用画像の情報が記憶される医用情報ファイルと、この医用情報を管理するための付随情報ファイルなどが記憶保存される。この様な医用情報記憶媒体は「ＤＩＣＯＭメディア」と呼ばれる。この医用情報記憶媒体には、ＵＳＢや光磁気ディスク（ＣＤ―Ｒ、ＤＶＤ―Ｒ、及びＤＶＤ−ＲＡＭなど）といったメディアが用いられる。この様な医用情報記憶媒体は内部のハードディスクなどに比べてアクセス速度が極めて遅く、情報を読み込むのに時間が非常にかかる。そこで、医用情報記憶媒体から所定の画像データを容易に検索する技術（例えば、特許文献１参照。）が提案されている。
【０００５】
そして、この医用情報記憶媒体のそれぞれには、患者の識別情報、検査の識別情報、医用画像の識別情報を含むインデックスファイルが１つ存在する。このインデックスファイルは一般的には「ＤＩＣＯＭＤＩＲファイル」と呼ばれる。このインデックスファイルは医用情報記憶媒体内に記憶されているデータの確認を目的として使用されるファイルである。すなわち、このインデックスファイルを参照することで医用情報記憶媒体に含まれている医用情報の一覧が取得できる。以下では、このインデックスファイルの内容をインデックス情報という。
【０００６】
このインデックス情報の具体的な使用方法を説明する。操作者は、医用情報装置において医用情報記憶媒体を読み取れる状態にする。この操作は、医用情報記憶媒体がＵＳＢの場合には医用情報装置が有するＵＳＢポートへのＵＳＢの接続であり、光磁気ディスクの場合には医用情報装置が有する光磁気ディスクの読み取り装置（光磁気ディスクドライブ）への光磁気ディスクの挿入である。以下では、医用情報記憶媒体を読み取れる状態にすることをまとめて「医用情報記憶媒体のセット」という。そして、医用情報記憶媒体がセットされた医用情報装置は、まずインデッククス情報を読み込み、患者の識別情報や検査の識別情報などのリストを表示させることで、医用情報記憶媒体に含まれている医用情報の一覧を表示する。そして、操作者はそのリストの中から必要とする情報を選択し、その選択した情報を医用情報装置へコピーしたり、その選択した情報を表示させ参照したりするなどの操作を行う。
【０００７】
従来、このインデックス情報は、上述したようにＤＩＣＯＭ規格に対応した医用情報装置に読み込んでみないとわからないものであった。
【先行技術文献】
【特許文献】
【０００８】
【特許文献１】特開２００５−１７４３６６号公報
【発明の概要】
【発明が解決しようとする課題】
【０００９】
しかし、近年医用情報記憶媒体の容量が増加し、医用情報記憶媒体に保存できる医用画像の枚数が増加していく傾向にある。このように、保存できる医用画像が増加するに伴い、保存されている医用画像の識別情報や、保存されている画像に対応する患者の識別情報及び検査の識別情報が増加することになる。このように、患者の識別情報、検査の識別情報、及び医用画像の識別情報が増加すると、それらで構成されるインデックス情報を含むインデックスファイルの容量が大きくなってしまう。そして、インデックスファイルの容量が大きくなると、医用情報装置に医用情報記憶媒体がセットされたときに、医用情報装置の読み込むデータが増加し、その読み込みにかかる時間が増加してしまう。特に、医用情報記憶媒体が光磁気ディスクの場合にインデックス情報の読み込みにかかる時間の増加が顕著である。
【００１０】
このように、インデックス情報の読み込みに時間がかかってしまうと、医用画像の処理に時間がかかってしまい、効率的な診断が困難となる。また、特許文献１に記載された技術では医用画像の検索効率を上げることはできるが、インデックス情報を読み込むための時間を短縮することは困難である。
【００１１】
この発明は、このような事情に鑑みてなされたもので、医用情報記憶媒体に含まれているインデックス情報の取得が短時間で行える医用画像表示装置及び医用画像表示装置制御プログラムを提供することを目的としている。
【課題を解決するための手段】
【００１２】
上記目的を達成するために、請求項１に記載の医用画像表示装置は、過去に接続された外部記憶媒体の識別情報、並びにその外部記憶媒体に記憶されている少なくとも患者及び検査の識別情報を含むインデックス情報を対応させて記憶している記憶手段と、現在接続されている前記外部記憶媒体から該外部記憶媒体の識別情報を取得し、取得した該外部記憶媒体の識別情報と、前記記憶手段が記憶している前記外部記憶媒体の識別情報とを比較する識別情報比較手段と、前記識別情報が一致しない場合、前記現在接続されている前記外部記憶媒体の識別情報及び前記現在接続されている前記外部記憶媒体に記憶されているインデックス情報を前記記憶手段に記憶させる書込手段と、前記識別情報が一致する場合に、前記記憶手段を参照し、前記現在接続されている前記外部記憶媒体に記憶されている前記インデックス情報の特定情報と、前記現在接続されている前記外部記憶媒体の前記識別情報と一致した過去に接続された前記外部記憶媒体の前記インデックス情報の特定情報とを比較する特定情報比較手段と、前記特定情報が異なる場合、前記記憶手段に記憶されている前記外部記憶媒体のインデックス情報を、前記現在接続されている外部記憶媒体に記憶されている前記インデックス情報へと更新させる更新手段と、前記記憶手段を参照し、前記現在接続されている前記外部記憶媒体に記憶されている前記インデックス情報を表示手段に一覧表示させる表示制御手段と、を備えることを特徴とするものである。
【００１３】
請求項５に記載の医用画像表示装置制御プログラムは、医用画像の表示を行うコンピュータに対し、過去に接続された外部記憶媒体の識別情報及びその外部記憶媒体に記憶されている少なくとも患者及び検査の識別情報を含むインデックス情報を対応させて記憶させ、接続された前記外部記憶媒体からその外部記憶媒体の識別情報の取得を実行させ、現在接続されている前記外部記憶媒体の識別情報と、前記記憶している前記識別情報との比較を実行させ、前記識別情報が一致しない場合、前記現在接続されている前記外部記憶媒体の識別情報及び現在接続されている前記外部記憶媒体が記憶しているインデックス情報の記憶を実行させ、前記識別情報が一致する場合、前記現在接続されている前記外部記憶媒体に記憶されている前記インデックス情報の特定情報と前記記憶されている前記現在接続されている前記外部記憶媒体の識別情報に対応するインデックス情報の特定情報との比較を実行させ、前記特定情報が異なる場合、前記記憶手段に記憶されている前記外部記憶媒体のインデックス情報の、前記現在接続されている外部記憶媒体に記憶されている前記インデックス情報への更新を実行させ、前記記憶されている前記現在接続されている外部記憶媒体の識別情報に対応するインデックス情報の表示部への一覧表示を実行させる、ことを特徴とするものである。
【発明の効果】
【００１４】
請求項１に記載の医用画像表示装置及び請求項５に記載の医用画像表示装置制御プログラムは、過去に接続された外部記憶媒体（医用情報記憶媒体）のインデックス情報（インデックスファイル）を記憶しておき、外部記憶媒体が接続されたときにその接続された外部記憶媒体が過去に接続されたことのある外部記憶媒体である場合には、記憶しているインデックス情報を読み出し、そのインデックス情報を基に接続されている外部記憶媒体に記憶されているデータの一覧を表示する構成である。これにより、インデックス情報が既に記憶されている場合には、外部記憶媒体からインデックス情報を読み込まずに、自己の記憶手段からインデックス情報を読み込むことが可能となる。したがって、この医用画像表示装置は、インデックス情報の読み込みの時間が短縮できるので、医用画像を用いた診断の効率化に寄与することができる。
【図面の簡単な説明】
【００１５】
【図１】本発明に係る医用画像表示装置のブロック図
【図２】医用情報記憶媒体が過去に一つもセットされたことのない状態の医用画像表示装置を説明するための図
【図３】図２の状態からいくつかの医用情報記憶媒体がセットされた後の医用画像表示装置を説明するための図
【図４】更新されたインデックス情報を有する医用情報記憶媒体がセットされたときの状態を説明するための図
【図５】使用する特定情報を選択するためのダイアログボックスの一例の図
【図６】図４の状態から記憶部に記憶されているインデックス情報及び特定情報が更新された状態を説明するための図
【図７】第１の実施形態に係る医用画像表示装置のインデックス情報の取得及び医用画像の表示のフローチャート
【発明を実施するための形態】
【００１６】
〔第１の実施形態〕
以下、この発明の第１の実施形態に係る医用画像表示装置及び医用画像表示装置制御プログラムについて説明する。図１は本発明に係る医用画像表示装置１００の機能を表すブロック図である。図１の点線で示されるブロックが本実施形態に係る医用画像表示装置１００である。そして、図１の一点鎖線で示されるブロックが医用情報記憶媒体００１である。
【００１７】
医用情報記憶媒体００１は、医用画像表示装置１００の外部の情報記憶媒体である。医用情報記憶媒体００１は、ＵＳＢや光磁気ディスク（ＣＤ−Ｒ，ＤＶＤ−Ｒ，又はＤＶＤ−ＲＡＭなど）など（以下では、「光メディア」という。）であり、データを記憶できるものであれば特に制限はない。そして、医用情報記憶媒体００１はＤＩＣＯＭ規格に準拠した記憶媒体である。ＤＩＣＯＭ規格に準拠しており、一定のフォーマットで形成されている。そして、医用情報記憶媒体００１には、医用情報記憶媒体００１には医用情報記憶媒体００１の識別情報及びインデックス情報（ＤＩＣＯＭＤＩＲファイル）が記憶されている。このインデックス情報には医用情報記憶媒体００１に記憶されている医用画像に対応して、その医用画像に映っている患者の患者識別情報、その医用画像が撮影された検査の検査識別情報、及びその医用画像の画像識別情報が含まれている。そして、インデックス情報は、記憶されている医用画像が変更された、新しく医用画像が追加された等といった患者識別情報、検査識別情報、又は画像識別情報の内容に追加／変更があった場合に更新される。また、医用情報記憶媒体００１が一定のフォーマットを有することにより、医用画像表示装置１００は、そのフォーマットに従って医用情報記憶媒体００１から特定の情報（例えば、識別情報など。）を取り出すことができる。この医用情報記憶媒体００１が本発明における「外部記憶媒体」にあたる。
【００１８】
医師や検査技師などの操作者（以下では、単に「操作者」という。）は、医用情報記憶媒体００１を医用画像表示装置１００にセットし、医用画像表示装置１００が医用情報記憶媒体００１に記憶されているデータを読み込める状態にする。ここでセットするとは、例えば、医用情報記憶媒体００１がＵＳＢの場合には医用画像表示装置１００が有するＵＳＢポートへのＵＳＢの接続であり、光メディアの場合には医用画像表示装置１００が有する光メディアの読み取り装置（光磁気ディスクドライブなど）への光メディアの挿入である。この医用情報記憶媒体００１の医用画像表示装置１００へのセットが本発明における「外部記憶媒体の接続」にあたる。ここで、以下の説明では、一般的な医用情報記憶媒体００１と現在セットされている医用情報記憶媒体００１とを区別するため、現在セットされている医用情報記憶媒体００１を「現在セットされている医用情報記憶媒体００１ａ」又は単に「医用情報記憶媒体００１ａ」と記載する。
【００１９】
医用画像表示装置１００は、医用情報記憶媒体００１に対応するセット機構２００（図１には図示していない。後述する図２などに図示している。）を有している。このセット機構２００は具体的には、医用情報記憶媒体００１がＵＳＢの場合にはＵＳＢポートを有しており、光メディアの場合には光メディアドライブなどを有している。
【００２０】
記憶部１０５は、ハードディスクなどの医用情報記憶媒体００１に比較してデータの読み込みが高速に行える情報記憶媒体で構成されている。記憶部１０５は、過去にセットされた医用情報記憶媒体００１の識別情報を記憶している。ここで、過去に複数の医用情報記憶媒体００１がセットされている場合には、記憶部１０５は複数の医用情報記憶媒体００１の識別情報を記憶していることになる。さらに、記憶部１０５は、過去に医用情報記憶媒体００１がセットされた時のその医用情報記憶媒体００１に記憶されていたインデックス情報を記憶している。ここでも、過去に複数の医用情報記憶媒体００１がセットされた場合には、記憶部１０５は複数の医用情報記憶媒体００１に記憶されていたインデックス情報を記憶していることになる。この医用情報記憶媒体００１の識別情報及びインデックス情報は、後述する書込部１０３又は更新部１０４により記憶部１０５に記憶させられる。この記憶部１０５が本発明における「記憶手段」にあたる。
【００２１】
統括制御部１１０は、各機能部の動作タイミングの制御や、各機能部間のデータの受け渡しの制御を行う。ここで、実際には各機能部間のデータの受け渡しや命令の入力は、統括制御部１１０を介して行われるが、以下の説明では都合上、各機能部間で直接データの受け渡しや命令の入力を行っているように説明する場合がある。また、統括制御部１１０は、記憶部１０５に格納されたプログラムをメモリ上に展開することにより、この実施形態に特徴的な動作（後述）を医用画像表示装置１００に実行させる。このプログラムが、この発明の「医用画像表示装置制御プログラム」の一例に相当するものである。
【００２２】
また、統括制御部１１０は、操作者によるユーザインタフェース１０７を用いた現在セトされている医用情報記憶媒体００１ａのデータの更新命令の入力を入力部１０９より受けると、医用情報記憶媒体００１ａに記憶されているデータを更新する。さらに、その更新により医用情報記憶媒体００１ａに記憶されている患者識別情報、検査識別情報、又は画像識別情報のいずれかの変更もしくは追加があった場合には、記憶部１０５に記憶されているインデックス情報及び現在セットされている医用情報記憶媒体００１ａが記憶しているインデックス情報を更新する。
【００２３】
識別情報比較部１０１は、セット機構２００に医用情報記憶媒体００１ａがセットされると、その現在セットされている医用情報記憶媒体００１ａに記憶されているデータを読み取り、現在セットされている医用情報記憶媒体００１ａの識別情報を取得する。この識別情報の取得は、上述した医用情報記憶媒体００１ａが有する一定のフォーマットに従って、識別情報比較部１０１が医用情報記憶媒体００１ａから医用情報記憶媒体００１ａの識別情報を取得することで行われる。
【００２４】
次に、識別情報比較部１０１は、取得した現在セットされている医用情報記憶媒体００１ａの識別情報を基に記憶部１０５を参照し、現在セットされている医用情報記憶媒体００１ａの識別情報と記憶部１０５に記憶されている医用情報記憶媒体００１の識別情報を比較する。そして、識別情報比較部１０１は、現在セットされている医用情報記憶媒体００１ａの識別情報が記憶部１０５に記憶されている医用情報記憶媒体００１の識別情報のいずれかに一致するか否かを判断する。この識別情報比較部１０１が本発明における「識別情報比較手段」にあたる。
【００２５】
現在セットされている医用情報記憶媒体００１ａの識別情報が記憶部１０５に記憶されている医用情報記憶媒体００１の識別情報のいずれかに一致する場合には、識別情報比較部１０１は、特定情報比較部１０２に対しインデックス情報の特定情報の比較要求を出力する。ここで、インデックス情報の特定情報とは、そのインデックス情報が更新されているか否かを特定するための情報であり、本実施形態ではインデックス情報の特定情報として、そのインデックス情報のファイルサイズ及び作成日時を用いる。ここで、ファイルサイズは実際にインデックス情報のサイズを計測することで得られるし、また作成日時はインデックス情報のファイルの更新時に一緒に記憶されているため、その日時を参照することで取得できる。また、この特定情報はインデックス情報が更新されているか否かを特定できる情報であれば他の一般的なファイル比較手段に用いられる情報を用いてもよい。
【００２６】
現在セットされている医用情報記憶媒体００１ａの識別情報が記憶部１０５に記憶されている医用情報記憶媒体００１の識別情報のいずれかに一致しない場合には、識別情報比較部１０１は、書込部１０３に対し現在セットされている医用情報記憶媒体００１ａの識別情報及び現在セットされている医用情報記憶媒体００１ａが記憶しているインデックス情報の書き込み要求を出力する。
【００２７】
書込部１０３は、識別情報比較部１０１からの現在セットされている医用情報記憶媒体００１ａの識別情報及び現在セットされている医用情報記憶媒体００１ａが記憶しているインデックス情報の書き込み要求の入力を受けて、現在セットされている医用情報記憶媒体００１ａに記憶されているデータを読み取り、現在セットされている医用情報記憶媒体００１ａの識別情報及び現在セットされている医用情報記憶媒体００１ａが記憶しているインデックス情報を取得する。
【００２８】
書込部１０３は、取得した現在セットされている医用情報記憶媒体００１ａの識別情報及び現在セットされている医用情報記憶媒体００１ａが記憶しているインデックス情報を対応させて記憶部１０５に書き込み、識別情報とインデックス情報の新たな組み合わせ記憶部１０５に記憶させる。
【００２９】
さらに、書込部１０３は、記憶部１０５に書き込んだ現在セットされている医用情報記憶媒体００１ａが記憶しているインデックス情報の表示要求を表示制御部１０６に対し出力する。
【００３０】
例えば、図２のように医用情報記憶媒体００１が過去に一つもセットされたことがない医用画像表示装置１００の場合、記憶部１０５には医用情報記憶媒体００１の識別情報及びインデックス情報が記憶されていない。この様な場合、図３のようにいくつかの医用情報記憶媒体００１がセットされた後には各医用情報記憶媒体００１の識別情報及びインデックス情報が対応させて記憶される。ここで、図２は医用情報記憶媒体００１が過去に一つもセットされたことのない状態の医用画像表示装置１００を説明するための図である。そして、図３は図２の状態からいくつかの医用情報記憶媒体００１がセットされた後の医用画像表示装置１００を説明するための図である。
【００３１】
図３では、ＵＳＢ−Ａ１００Ａ、ＵＳＢ−Ｂ１００Ｂ、ＵＳＢ―Ｃ１００Ｃ、光メディアＡ１００Ｄ、光メディアＢ１００Ｅ、光メディアＣ１００Ｆ、光メディアＤ１００Ｇ、及び光メディアＥ１００Ｈが過去にセットされている。この場合、書込部１０３は、図３のように記憶部１０５に、ＵＳＢ−Ａ１００Ａのインデックス情報２００ＡにＵＳＢ−Ａの識別情報を対応させて記憶させ、ＵＳＢ−Ｂ１００Ｂのインデックス情報２００ＢにＵＳＢ−Ｂの識別情報を対応させて記憶させ、ＵＳＢ―Ｃ１００Ｃのインデックス情報２００ＣにＵＳＢ−Ｃの識別情報を対応させて記憶させ、光メディアＡ１００Ｄのインデックス情報２００Ｄに光メディアＡの識別情報を対応させて記憶させ、光メディアＢ１００Ｅのインデックス情報２００Ｅに光メディアＢの識別情報を対応させて記憶させ、光メディアＣ１００Ｆのインデックス情報２００Ｆに光メディアＣの識別情報を対応させて記憶させ、光メディアＤ１００Ｇのインデックス情報２００Ｇに光メディアＤの識別情報を対応させて記憶させ、及び光メディアＥ１００Ｈのインデックス情報２００Ｈに光メディアＥの識別情報を対応させて記憶させる。
【００３２】
さらに、書込部１０３は、それぞれのインデックス情報に対応させて各インデックス情報の特定情報であるファイルサイズ及び作成日時を記憶部１０５に記憶させる。図３の状態において、記憶部１０５に記憶されている各インデックス情報の特定情報は図に示す通りとする。この書込部１０３が本発明における「書込手段」にあたる。
【００３３】
特定情報比較部１０２は、識別情報比較部１０１からインデックス情報の比較要求の入力を受けて、現在セットされている医用情報記憶媒体００１ａに記憶されているデータを読み取り、現在セットされている医用情報記憶媒体００１ａが記憶しているインデックス情報の特定情報を取得する。
【００３４】
次に、特定情報比較部１０２は、取得した現在セットされている医用情報記憶媒体００１ａが記憶しているインデックス情報の特定情報を基に記憶部１０５を参照し、現在セットされている医用情報記憶媒体００１ａが記憶しているインデックス情報の特定情報と、記憶部１０５に記憶されている過去に医用情報記憶媒体００１ａがセットされた時点で記憶していたインデックス情報の特定情報とを比較する。そして、特定情報比較部１０２は、現在セットされている医用情報記憶媒体００１ａが記憶しているインデックス情報の特定情報が、記憶部１０５に記憶されている過去に医用情報記憶媒体００１ａがセットされた時点で記憶していたインデックス情報の特定情報と一致するか否か判断する。
【００３５】
現在セットされている医用情報記憶媒体００１ａが記憶しているインデックス情報特定情報が、記憶部１０５に記憶されている過去に医用情報記憶媒体００１ａがセットされた時点で記憶していたインデックス情報の特定情報と一致する場合には、特定情報比較部１０２は、現在セットされている医用情報記憶媒体００１ａが記憶しているインデックス情報の表示要求を表示制御部１０６に対し出力する。
【００３６】
現在セットされている医用情報記憶媒体００１ａが記憶しているインデックス情報の特定情報が、記憶部１０５に記憶されている過去に医用情報記憶媒体００１ａがセットされた時点で記憶していたインデックス情報の特定情報と一致しない場合には、特定情報比較部１０２は、更新部１０４に対し現在セットされている医用情報記憶媒体００１ａが記憶しているインデックス情報の更新要求を出力する。この特定情報比較部１０２が本発明における「特定情報比較手段」にあたる。
【００３７】
例えば、図４のように、記憶部１０５の中には図３の状態のときに記憶されたインデックス情報及びその特定情報が記憶されている状態で、図４に示すような各医用情報記憶媒体００１がセットされたとする。ここで、図４は、更新されたインデックス情報を有する医用情報記憶媒体００１がセットされたときの状態を説明するための図である。ここで、一点鎖線で囲われた各医用情報記憶媒体００１（具体的には、ＵＳＢ−Ａ１００Ａ、ＵＳＢ−Ｃ１００Ｃ、光メディアＢ１００Ｅ、及び光メディアＥ１００Ｈ）における特定情報が異なっている。光メディアＥ１００Ｈはフォーマットされインデックス情報自体が失われている（図４では、「Ｎ／Ａ」で表わしている。）が、この場合にも特定情報は一致しないと判定される。すなわち、一点鎖線で囲われた各医用情報記憶媒体００１が記憶しているインデックス情報が更新されたことを表している。この場合、特定情報比較部１０２は、ＵＳＢ−Ａ１００Ａ、ＵＳＢ−Ｃ１００Ｃ、光メディアＢ１００Ｅ、及び光メディアＥ１００Ｈがセットされた場合には、インデックス情報が一致しないと判定する。そして、特定情報比較部１０２は、ＵＳＢ−Ａ１００Ａ、ＵＳＢ−Ｃ１００Ｃ、光メディアＢ１００Ｅ、又は光メディアＥ１００Ｈがセットされた場合には、現在セットされている医用情報記憶媒体００１ａ（ＵＳＢ−Ａ１００Ａ、ＵＳＢ−Ｃ１００Ｃ、光メディアＢ１００Ｅ、又は光メディアＥ１００Ｈのいずれか）が記憶しているインデックス情報の更新要求を更新部１０４に対し出力する。
【００３８】
また、図４の状態で、ＵＳＢ−Ｂ１００Ｂ、光メディアＡ１００Ｄ、光メディアＣ１００Ｆ、又は光メディアＤ１００Ｇがセットされた場合には、特定情報比較部１０２は、ＵＳＢ−Ｂ１００Ｂ、光メディアＡ１００Ｄ、光メディアＣ１００Ｆ、又は光メディアＤ１００Ｇのうちの現在セットされている医用情報記憶媒体００１ａが記憶しているインデックス情報の表示要求を表示制御部１０６に対し出力する。すなわち、後述するように、これらＵＳＢ−Ｂ１００Ｂ、光メディアＡ１００Ｄ、光メディアＣ１００Ｆ、又は光メディアＤ１００Ｇの場合には、直ちに記憶部１０５からインデックス情報が読み込まれ、表示部１０８に表示されることになる。
【００３９】
ここで、本実施形態では迅速にインデックス情報の特定情報の比較を行うため、簡単に取得及び比較が行えるファイルサイズ及び作成日時を用いているが、インデックス情報が更新されているか否かの判定の確度を上げるならば、例えば、インデックス情報のハッシュ等を特定情報として用いてもよい。ここで、ハッシュとは、元のデータからある一定範囲の数値（この数値がハッシュである。）を生成する関数であり、データが異なればハッシュが異なる。すなわち、ハッシュを特定情報として使用する場合には、特定情報比較部１０２は予めハッシュ関数を記憶しており、現在セットされている医用情報記憶媒体００１ａが記憶しているインデックス情報、及び記憶部１０５に記憶されているインデックス情報のそれぞれに対し自己が記憶しているハッシュ関数を用いることでそれぞれのハッシュを生成してそれら生成したハッシュを比較することになる。また、インデックス情報が更新されているか否かの判定の確度を下げてもよければ、ファイルサイズ又は作成日時のどちらか一方を用いる方法でもよい。
【００４０】
また、特定情報比較部１０２がインデックス情報の特定情報の比較を行う際にどのような特定情報を用いるかを操作者が選択できるように構成してもよく、その場合、医用情報記憶媒体００１をセットしたときに、表示制御部１０６が図５に示すような使用する特定情報を選択するためのダイアログボックスを表示部１０８に表示する構成にしてもよい。ここで、図５は使用する特定情報を選択するためのダイアログボックスの一例の図である。この場合、操作者は表示部１０８に表示された図５に示すようなダイアログボックスを参照し、入力部１０９を用いて使用する特定情報をチェックし（例えば図５では、ファイルサイズ及び更新日時を使用する場合にはボタン５０１をチェックし、ハッシュを使用する場合にはボタン５０２をチェックする。）、確定ボタン（図５ではＯＫボタン５０３）を押下することで、使用する特定情報を確定しておく。特定情報比較部１０２は、この確定された使用する特定情報を基に、インデックス情報の特定情報の比較を行うことになる。
【００４１】
更新部１０４は、特定情報比較部１０２からの現在セットされている医用情報記憶媒体００１ａが記憶しているインデックス情報の更新要求の入力を受けて、現在セットされている医用情報記憶媒体００１ａを読み取り、現在セットされている医用情報記憶媒体００１ａが記憶しているインデックス情報を取得する。
【００４２】
そして、更新部１０４は、取得した現在セットされている医用情報記憶媒体００１ａが記憶しているインデックス情報を記憶部１０５へ書き込み、記憶部１０５に記憶されている現在セットされている医用情報記憶媒体００１ａの識別情報に対応するインデックス情報を更新する。この更新部１０４が本発明における「更新手段」にあたる。
【００４３】
たとえば、図４に示したように、ＵＳＢ−Ａ１００Ａ、ＵＳＢ−Ｃ１００Ｃ、光メディアＢ１００Ｅ、及び光メディアＥ１００Ｈのインデックス情報が更新されている場合には、図６に示すように、その各医用情報記憶媒体００１が記憶しているインデックス情報及びその特定情報が更新される。ここで、図６は図４の状態から記憶部１０５に記憶されているインデックス情報及び特定情報が更新された状態を説明するための図である。図６では、更新部１０４は、記憶部１０５に記憶されているインデックス情報のうち、一点鎖線で表わされるインデックス情報（具体的には、インデックス情報２００Ａ、インデックス情報２００Ｃ，インデックス情報２００Ｅ、及びインデックス情報２００Ｈ）のように、現在セットされている医用情報記憶媒体００１ａが記憶しているインデックス情報及びその特定情報に更新する。ここで、光メディアＥ１００Ｈのようにインデックス情報が消去されている場合には、図６のように記憶部１０５に記憶されているインデックス情報２００Ｈは削除される。これにより、医用情報記憶媒体００１が記憶しているインデックス情報が他の装置で削除された場合にも、その医用情報記憶媒体００１が医用画像表示装置１００にセットされた時点で記憶部１０５が記憶しているそのセットされた医用情報記憶媒体００１が過去に記憶していたインデックス情報が削除される。これにより、他装置おいて医用情報記憶媒体００１のインデックス情報が削除された場合でも、インデックス情報の不一致は発生しない。
【００４４】
さらに、更新部１０４は、更新した現在セットされている医用情報記憶媒体００１ａが記憶しているインデックス情報の表示要求を表示制御部１０６に対し出力する。
【００４５】
表示制御部１０６はメモリなどの記憶領域を有している。そして、表示制御部１０６は、自己の記憶領域にインデックス情報に含まれる内容（患者識別情報、検査識別情報、及び画像識別情報など）を一覧表示するためのフォーマットを予め記憶している。
【００４６】
表示制御部１０６は、特定情報比較部１０２、書込部１０３、又は更新部１０４から現在セットされている医用情報記憶媒体００１ａが記憶しているインデックス情報の表示要求を受ける。そして、表示制御部１０６は、記憶部１０５を参照し、現在セットされている医用情報記憶媒体００１ａが記憶しているインデックス情報を取得する。
【００４７】
表示制御部１０６は、自己が記憶しているフォーマットを基に、取得した現在セットされている医用情報記憶媒体００１ａが記憶しいているインデックス情報の一覧を生成する。そして、表示制御部１０６は、生成した一覧を表示部１０８に表示させる。
【００４８】
ユーザインタフェース１０７は、表示部１０８及び入力部１０９を有する。ここで、表示部１０８はモニタなどの画像表示装置であり、入力部１０９はキーボードやマウスなどといった入力装置である。操作者は、ユーザインタフェース１０７を用いて情報の入力を行う。具体的には、操作者は、表示部１０８に表示された情報を参照し、入力部１０９を用いてデータや処理要求の入力を行う。
【００４９】
操作者は、表示部１０８に表示された現在セットされている医用情報記憶媒体００１ａが記憶しているインデックス情報の一覧を参照し、入力部１０９を用いて一覧の中から患者識別情報、検査識別情報、又は画像識別情報を選択し、その選択した情報に対応する医用画像の表示要求を入力する。ここで、選択した情報に対応する医用画像の表示要求とは、例えば、操作者が一覧の中の特定の患者識別情報を選択した場合には、その患者の医用画像の全ての表示要求となり、また操作者が一覧の中の特定の検査識別情報を選択した場合には、その検査において取得されたすべての医用画像の表示要求となり、また操作者が一覧の中の特定の画像識別情報を選択した場合には、その画像識別情報を有する医用画像の表示要求となる。この複数の医用画像の表示要求とは、各医用画像をサムネイル化した一覧表示の要求である。
【００５０】
表示制御部１０６は、自己の記憶領域に医用画像の表示用のフォーマットも予め記憶している。ここで、医用画像の表示用のフォーマットとは、本実施形態では、一枚の医用画像の表示要求の場合にはその医用画像を等倍で表示させるフォーマットであり、複数枚の医用画像の表示要求の場合には、各医用画像をサムネイル化して一覧表示させるフォーマットである。そして、表示制御部１０６は、入力部１０９から入力された表示要求を受けて、現在接続されている医用情報記憶媒体００１ａに記憶されているデータを読み込み、表示要求に対応する医用画像を取得する。
【００５１】
そして、表示制御部１０６は、一枚の医用画像の表示要求の場合には、自己が記憶しているフォーマットを用いて取得した医用画像をそのまま表示させる画面を生成する。そして、表示制御部１０６は、生成した一枚の医用画像を表示する画面を表示部１０８に表示させる。また、複数枚の医用画像の表示要求の場合には、取得した医用画像をサムネイル化し、自己が記憶しているフォーマットを用いてそれらサムネイル化した医用画像の一覧を表示させる画面を生成する。そして、表示制御部１０６は、生成した複数のサムネイル化された医用画像の一覧を表示する画面を表示部１０８に表示させる。サムネイル化された医用画像の一覧の表示の場合には、その後、操作者は入力部１０９を用いてそれら表示されているサムネイル化された医用画像の一覧の中から特定の医用画像の選択を行う。表示制御部１０６は、入力部１０９から入力された選択を受けて、表示制御部１０６は選択された特定の医用画像を表示部１０８に表示させる。この表示制御部１０６が本発明における「表示制御手段」にあたる。
【００５２】
ここで、本実施形態では複数の画像のうちから特定の画像を選択しやすいようにサムネイル化した画像を一覧で選択可能に表示しているが、これは選択した情報に対応する医用画像の情報が特定可能に表示されればよく、例えば各医用画像の識別情報を選択可能に一覧表示してもよい。また、サムネイル化せずにそのままの各医用画像を順番に表示するような表示方法にしてもよい。
【００５３】
次に、図７を参照して、本実施形態に係る医用画像表示装置１００のインデックス情報の取得及び医用画像の表示の動作を説明する。ここで、図７は本実施形態に係る医用画像表示装置１００のインデックス情報の取得及び医用画像の表示のフローチャートである。
【００５４】
ステップＳ００１：操作者は医用情報記憶媒体００１ａを医用画像表示装置１００にセットする。
【００５５】
ステップＳ００２：識別情報比較部１０１は、現在セットされている医用情報記憶媒体００１ａの識別情報を取得する。
【００５６】
ステップＳ００３：識別情報比較部１０１は、記憶部１０５を参照し、取得した現在セットされている医用情報記憶媒体００１ａの識別情報と記憶部１０５に記憶されている医用情報記憶媒体００１の識別情報とを比較し、現在セットされている医用情報記憶媒体００１ａの識別情報が記憶部１０５に記憶されている医用情報記憶媒体００１のいずれか一つと一致するか否かを判断する。いずれか一つと一致した場合（Ｙｅｓの場合）には、ステップＳ００４に進む。いずれとも一致しない場合（Ｎｏの場合）には、ステップＳ００６に進む。
【００５７】
ステップＳ００４：特定情報比較部１０２は、識別情報比較部１０１からのインデックス情報の比較要求を受けて、現在接続されている医用情報記憶媒体００１ａが記憶しているインデックス情報のファイルサイズ及び作成日時（すなわち特定情報）を取得する。
【００５８】
ステップＳ００５：特定情報比較部１０２は、そして、特定情報比較部１０２は、取得した現在接続されている医用情報記憶媒体００１ａが記憶しているインデックス情報にファイルサイズ及び作成日時と、記憶部１０５に記憶されている過去に医用情報記憶媒体００１ａが接続されたときに記憶していたインデックス情報のファイルサイズ及び作成日時とを比較し、現在接続されている医用情報記憶媒体００１ａが記憶しているインデックス情報のファイルサイズ及び作成日と、記憶部１０５に記憶されている過去に医用情報記憶媒体００１ａが接続されたときに記憶していたインデックス情報のファイルサイズ及び作成日とが一致するか否かを判断する。一致する場合（Ｙｅｓの場合）には、ステップＳ００８に進む。一致しない場合（Ｎｏの場合）には、ステップＳ００７に進む。
【００５９】
ステップＳ００６：書込部１０３は、特定情報比較部１０２からの書き込み要求を受けて、現在接続されている医用情報記憶媒体００１ａのデータを読み込み、現在接続されている医用情報記憶媒体００１ａの識別情報及び現在接続されている医用情報記憶媒体００１ａが記憶しているインデックス情報を取得する。そして、書込部１０３は、取得した識別情報及びインデックス情報を対応づけて書き込み、記憶部１０５に記憶させる。
【００６０】
ステップＳ００７：更新部１０４は、特定情報比較部１０２からインデックス情報の更新要求を受けて、現在接続されている医用情報記憶媒体００１ａのデータを読み込み、現在接続されている医用情報記憶媒体００１ａが記憶しているインデックス情報を取得する。そして、更新部１０４は、記憶部１０５に記憶されている現在接続されている医用情報記憶媒体００１ａの識別情報に対応するインデックス情報を現在接続されている医用情報記憶媒体００１ａが記憶しているインデックス情報へと更新し、記憶部１０５に記憶させる。
【００６１】
ステップＳ００８：表示制御部１０６は、特定情報比較部１０２、書込部１０３、又は更新部１０４からのインデックス情報の表示要求を受けて、自己が記憶しているフォーマットを基にインデックス情報の一覧を生成し、表示部１０８にその生成したインデックス情報の一覧を表示させる。
【００６２】
ステップＳ００９：操作者は、表示部１０８に表示されたインデックス情報の一覧を参照し、その一覧に記載された患者識別情報、検査識別情報、及び画像識別情報の中から一つの情報を選択する。
【００６３】
ステップＳ０１０：表示制御部１０６は、画像識別情報が選択されたか否かを判断する。画像識別情報が選択された場合（Ｙｅｓの場合）には、ステップＳ０１３に進む。画像識別情報が選択されていない場合（Ｎｏの場合）には、ステップＳ０１１に進む。
【００６４】
ステップＳ０１１：表示制御部１０６は、選択された情報に対応する医用画像をサムネイル化し、サムネイル化した医用画像の一覧を表示部１０８に表示させる。
【００６５】
ステップＳ０１２：操作者は、表示部１０８に表示されたサムネイル化された医用画像の一覧の中から、入力部１０９を用いて特定の医用画像を選択する。
【００６６】
ステップＳ０１３：表示制御部１０６は、選択された医用画像又は選択された識別情報を有する医用画像を表示部１０８に表示させる。
【００６７】
以上に説明したように、本実施形態に係る医用画像表示装置及び医用画像表示装置制御プログラムは、現在セットされている医用情報記憶媒体の識別情報及びインデックス情報の特定情報を用いて、現在セットされている医用情報記憶媒体が記憶しているインデックス情報を自己が記憶しているか否かを判断し、記憶している場合には自己が記憶しているインデックス情報を読み込んで表示部にインデックス情報の一覧を表示させるものである。
【００６８】
これにより、本実施形態に係る医用画像表示装置及び医用画像表示装置制御プログラムでは、インデックス情報が記憶されている場合には医用情報記憶媒体よりも読み込み速度の速い自己の記憶部からインデックス情報を読み込むことができるため、インデックス情報の読み込み時間を短縮することが可能となる。したがって、本実施形態に係る医用画像表示装置及び医用画像表示装置制御プログラムは、医用情報記憶媒体に記憶されている医用画像を用いた診断の効率の向上に寄与することが可能となる。
【符号の説明】
【００６９】
００１  医用情報記憶媒体
１００  医用画像表示装置
１０１  識別情報比較部
１０２  特定情報比較部
１０３  書込部
１０４  更新部
１０５  記憶部
１０６  表示制御部
１０７  ユーザインタフェース
１０８  表示部
１０９  入力部
１１０  統括制御部
【図１】
2010277537.tif 000003
【図２】
2010277537.tif 000004
【図３】
2010277537.tif 000005
【図４】
2010277537.tif 000006
【図５】
2010277537.tif 000007
【図６】
2010277537.tif 000008
【図７】
2010277537.tif 000009